(57)【要約】【課題】油圧配管および電気配線の途中における分離・接続作業を容易に行い得る産業用車両における油圧・電気系統の接続部構造を提供する。【解決手段】走行輪および油圧式荷役装置が設けられた車両本体２に、取付用台枠３を介して運転台４が設けられたフォークリフトにおいて、車両本体２側に配置された油圧駆動機器と運転台４とに亘って配設された油圧配管３１途中に継手ブロック３３を設けるとともに、車両本体２と運転台４とに亘って配設された電気配線３２途中に電気継手具３４を設け、且つ上記継手ブロック３３および電気継手具３４を、運転台４の下方位置の車両本体２側に配置したものである。【選択図】        図３
2006008363.tif 000002
【特許請求の範囲】
【請求項１】
走行輪および油圧式荷役装置が設けられた車両本体に、直接にまたは取付用台枠を介して運転台が設けられた産業用車両において、
車両本体側と運転台とに亘って配設された油圧配管途中に継手ブロックを設けるとともに、車両本体側と運転台とに亘って配設された電気配線途中に電気継手具を設け、
且つ上記継手ブロックおよび電気継手具を、運転台の下方位置の車両本体側に配置したことを特徴とする産業用車両における油圧・電気系統の接続部構造。
【請求項２】
車両本体、取付用台枠または運転台に、継手ブロックおよび電気継手具へのアクセスホールを設けたことを特徴とする請求項１に記載の産業用車両における油圧・電気系統の接続部構造。
【発明の詳細な説明】
【技術分野】
【０００１】
本発明は、産業用車両における油圧・電気系統の接続部構造に関するものである。
【背景技術】
【０００２】
例えばフォークリフトなどの産業用車両においては、油圧式リフト装置などの荷役装置が具備されるとともに、その運転台においては、油圧の操作レバーおよびエンジン関係の計器・スイッチ類が配置されている。
【０００３】
ところで、フォークリフトは、大きく分けて、走行輪およびリフト装置が設けられた車両本体と、この車両本体に搭載されて走行および荷役の各操作を行うための運転台とから構成され、当然に、車両本体側に設けられた油圧シリンダなどの油圧駆動機器側およびエンジン側と運転台との間には、多数の油圧配管および電気配線が設けられている（特許文献１参照）。
【特許文献１】特開２００１−２４０３８６
【発明の開示】
【発明が解決しようとする課題】
【０００４】
そして、通常、油圧配管および電気配線における継手位置（接続位置）については、単に、油圧配管・電気配線の作業を行う際の都合に基づき、適宜、選択されていた。
ところで、フォークリフトにおいては、運転台の下方にトランスミッションが配置されており、例えばトランスミッションの修理を行う場合、運転台を車両本体から外す必要があり、したがって油圧配管および電気配線については、それぞれ異なる位置で分離・接続作業をしなければならず、その作業に時間を要するという問題があった。
【０００５】
そこで、上記課題を解決するため、本発明は、油圧配管および電気配線途中での分離・接続作業を容易に行い得る産業用車両における油圧・電気系統の接続部構造を提供することを目的とする。
【課題を解決するための手段】
【０００６】
上記課題を解決するため、本発明の請求項１に係る産業用車両における油圧・電気系統の接続部構造は、走行輪および油圧式荷役装置が設けられた車両本体に、直接にまたは取付用台枠を介して運転台が設けられた産業用車両において、
車両本体側と運転台とに亘って配設された油圧配管途中に継手ブロックを設けるとともに、車両本体側と運転台とに亘って配設された電気配線途中に電気継手具を設け、
且つ上記継手ブロックおよび電気継手具を、運転台の下方位置の車両本体側に配置したものである。
【０００７】
また、請求項２に係る産業用車両における油圧・電気系統の接続部構造は、請求項１に記載の接続部構造の車両本体、取付用台枠または運転台に、継手ブロックおよび電気継手具へのアクセスホールを設けたものである。
【発明の効果】
【０００８】
上記の構成によると、運転台の下方位置の車両本体側に、油圧配管の継手ブロックおよび電気配線の継手である電気継手具を配置したので、運転台を取り外す際に、油圧・電気系統の分離・接続作業を容易に行うことができる。
【０００９】
また、上記分離・接続作業については、車両本体、取付用台枠または運転台に設けられたアクセスホールから行うことができるので、より、容易に行うことができる。
【発明を実施するための最良の形態】
【００１０】
［実施の形態］
以下、本発明の実施の形態に係る産業用車両における油圧・電気系統の接続部構造について説明する。
【００１１】
なお、本実施の形態においては、産業用車両として、例えば大型のフォークリフトである場合について説明する。
図１に示すように、このフォークリフト１は、大きく分けて、走行輪を有する車両本体２と、この車両本体２の前部に取付用台枠（平面視が矩形状にされ且つ所定高さの枠状部材にされたもの）３を介して搭載（配置）された運転台（運転席）４と、同じく車両本体２の前方に配置された油圧式のリフト装置（荷役装置の一例である）５とから構成されている。
【００１２】
上記車両本体２の主要構成部材である本体フレーム１１は、例えば前後方向に配置された左右の側板材１２と、これら前後の所定位置に配置されて左右の側板材１２同士を連結する連結材１３とから構成されている。なお、この本体フレーム１１の前部および後部には、走行輪である前輪１４および後輪１５がそれぞれ前輪用車軸（フロントアクスルともいう）１６および後輪用車軸（リアアクスルともいう）１７を介して取り付けられている。
【００１３】
また、上記本体フレーム１１の後部にはエンジン６が搭載されるとともに、エンジン６の前方には、トランスミッション７およびリフト装置５並びに油圧式操舵装置８を作動させるための油圧ポンプ、油圧配管、油圧機器などからなる油圧駆動系統が配置されている。
【００１４】
上記運転台４は、図２および図３に示すように、例えばリフト装置５および操舵装置８を操作する操作レバー類２１およびエンジンなどの制御を行うための計器・スイッチ類２２が配置された操作盤・シートなどからなるコックピット２３と、このコックピット２３全体を覆うように設けられるとともにランプ・エアコンなどの電気機器２４が配置された運転者を保護するための保護用箱枠（以下、キャビンという）２５とから構成されており、このため、本体フレーム１１と運転台４とに亘って、油圧系統である油圧配管３１および電気系統である電気配線３２が配設されている。なお、電気配線３２については、バッテリから電気機器２４への電源供給の他に、エンジン類の制御信号用の配線も含まれている。
【００１５】
また、この運転台４については、車両本体２から取り外し可能に構成されており、具体的には、車両本体２の前部の上面に取付用台枠３が載置され、この取付用台枠３の上面に、例えばゴムマウント材（図示せず）を介してコックピット２３およびキャビン２５が載置されるとともに、それぞれボルト・ナットなどの連結具（図示せず）を介して互いに連結されている。
【００１６】
そして、上記本体フレーム１１の前部の上側連結材１３（１３Ａ）には、油圧配管３１途中を纏めて分離・接続（着脱）し得る継手ブロック３３が取り付けられるとともに、この上側連結材１３（１３Ａ）または当該継手ブロック３３の近傍位置に、電気配線３２途中を纏めて分離・接続し得る電気継手具（配線用カプラともいう）３４が配置されており、さらにこの継手ブロック３３および電気継手具３４に対応する取付用台枠３の側面には、その分離・接続作業を行い得るアクセスホール３５が形成されている。勿論、このアクセスホール３５には、蓋板３６が設けられている。
【００１７】
したがって、上記構成に係るフォークリフト１において、例えばトランスミッション７が故障して修理を行う場合には、運転台４、すなわちコックピット２３およびキャビン２５並びに取付用台枠３が取り外されるが、まず取付用台枠３のアクセスホール３５の蓋板３６を取り外し、次にこのアクセスホール３５から手を入れて、継手ブロック３３に接続されている運転台４側からの油圧配管３１を分離するとともに、同じく、電気継手具３４を分離すればよい。
【００１８】
このように、運転台４の下方位置（運転台寄り）の車両本体２側に、継手ブロック３３および電気継手具３４すなわち接続位置を配置したので、運転台４を取り外す際に、油圧配管３１および電気配線３２の分離・接続作を容易に且つ短時間で行うことができる。
【００１９】
また、上記分離・接続作業については、取付用台枠３に設けられたアクセスホール３５から行うことができるので、より、容易に行うことができる。
そして、油圧・電気系統の分離作業が済んだ後に、運転台４、取付用台枠３などを取り外せばよい。勿論、その接続作業についても、アクセスホール３５から、容易に且つ短時間で行うことができる。
【００２０】
なお、上記実施の形態においては、電気継手具３４を運転台４の下方位置の車両本体２側に配置しただけであるが、この電気継手具３４を、継手ブロック３３と同様に、車両本体２側例えば上側連結材１３Ａにブラケットなどを介して支持してもよい。
【００２１】
また、上記実施の形態においては、運転台４を取付用枠台３を介して車両本体２に取り付けたが、例えば運転台４を、直接、車両本体２に取り付けることもでき、この場合には、車両本体２側または運転台４側にアクセスホールが設けられる。勿論、取付用枠台３の有無に拘わらず、車両本体２側または運転台４側にアクセスホールを設けてもよい。
【００２２】
また、上記実施の形態においては、産業用車両としてフォークリフトの場合について説明したが、これ以外の車両には、例えばホイールローダにも適用することができる。
【図面の簡単な説明】
【００２３】
【図１】本発明の実施の形態に係るフォークリフトの概略構成を示す一部切欠側面図である。
【図２】同フォークリフトにおける分離・接続構造を説明する要部断面図である。
【図３】同フォークリフトにおける分離・接続構造を説明する要部分解斜視図である。
【符号の説明】
【００２４】
１      フォークリフト
２      車両本体
３      取付用台枠
４      運転台
５      リフト装置
８      操舵装置
１１      本体フレーム
１２      側板材
１３      連結材
２１      操作レバー類
２２      計器・スイッチ類
２３      コックピット
２４      電気機器
３１      油圧配管
３２      電気配線
３３      継手ブロック
３４      電気継手具
３５      アクセスホール
【図１】
2006008363.tif 000003
【図２】
2006008363.tif 000004
【図３】
2006008363.tif 000005